(57)【要約】【課題】災害発生時において、災害に関する情報を周囲のユーザに拡散させること【解決手段】本発明の携帯端末１は、緊急情報を取得する緊急情報取得手段（緊急時検出部１３３）と、視野角を狭視野角または広視野角のいずれかの状態に変更可能な表示部の表示を制御する表示制御部と、表示部の視野角を制御する視野角制御部１２３とを備え、視野角制御部１２３は、緊急情報取得手段により緊急情報が取得されると、狭視野角から広視野角に変更し、表示制御部は、緊急情報取得手段により取得された緊急情報を表示部に表示する。【選択図】図２
2013128180.tif 000002
【特許請求の範囲】
【請求項１】
緊急情報を取得する緊急情報取得手段と、
視野角を狭視野角または広視野角のいずれかの状態に変更可能な表示装置の表示を制御する表示制御手段と、
前記表示装置の視野角を制御する視野角制御手段と、を備え、
前記視野角制御手段は、前記緊急情報取得手段により緊急情報が取得されると、狭視野角から広視野角に変更し、
前記表示制御手段は、前記緊急情報取得手段により取得された緊急情報を前記表示装置に表示することを特徴とする、携帯端末。
【請求項２】
前記緊急情報取得手段は、セルブロードキャストされた情報を受信すると、該情報を前記緊急情報として取得することを特徴とする、請求項１に記載の携帯端末。
【請求項３】
現在位置を示す位置情報を取得する位置情報取得手段をさらに備え、
前記緊急情報取得手段は、
各種情報を提供するサーバからネットワークを介して配信情報を取得し、該配信情報が緊急を示す文字情報を含む場合、前記配信情報を第１緊急情報候補として特定し、
前記第１緊急情報候補として特定された配信情報で示される対象地域に、前記位置情報取得手段により取得された位置情報で示される現在位置が含まれる場合、前記第１緊急情報候補を前記緊急情報として取得することを特徴とする、請求項１に記載の携帯端末。
【請求項４】
基地局の位置を示す基地局情報を取得する基地局情報取得手段をさらに備え、
前記緊急情報取得手段は、
基地局が発信する放送電波に緊急警報信号が含まれる場合、前記緊急警報信号とともに放送電波に含まれる放送情報を第２緊急情報候補として特定し、
前記第２緊急情報候補として特定された放送情報で示される対象地域に、前記基地局情報取得手段により取得された基地局情報で示される基地局の位置が含まれる場合、前記第２緊急情報候補を前記緊急情報として取得することを特徴とする、請求項１に記載の携帯端末。
【請求項５】
前記表示装置は、液晶ディスプレイであり、
前記視野角制御手段は、前記表示装置の液晶層に印加する電圧を調整することにより、前記表示装置の視野角を制御することを特徴とする、請求項１〜４のいずれかに記載の携帯端末。
【請求項６】
前記表示制御手段は、前記視野角制御手段からの指示に応じて、広視野角または狭視野角のいずれかの状態を示す表示データを生成し、生成された表示データに基づいて前記表示装置に表示させることを特徴とする、請求項１〜４のいずれかに記載の携帯端末。
【請求項７】
前記視野角制御手段は、視野角を狭視野角から広視野角に変更した場合において、変更時から所定の時間経過後に、広視野角から狭視野角に変更することを特徴とする、請求項１〜６のいずれかに記載の携帯端末。
【請求項８】
前記視野角制御手段は、視野角を狭視野角から広視野角に変更した場合において、緊急情報の表示を終了する指示により広視野角から狭視野角に変更することを特徴とする、請求項１〜７のいずれかに記載の携帯端末。
【発明の詳細な説明】
【技術分野】
【０００１】
本発明は、表示装置の視野角を制御する携帯端末に関する。
【背景技術】
【０００２】
災害の発生時に、ユーザの身の安全を配慮する技術が知られている。例えば、特許文献１には、災害の発生時にユーザの視野を確保するヘッドマウントディスプレイが記載されている。このヘッドマウントディスプレイは、ユーザの頭部に装着され、頭部に連動して変化する導光部材の映像投影面の姿勢変動を検出し、検出された姿勢変動が一定値以上の加速度である場合、表示制御動作を停止することにより、災害の発生時におけるユーザの視野の確保を可能としている。
【０００３】
また、特許文献２には、緊急情報の受信に伴い、表示画面とユーザとの距離に応じて表示のレイアウトを変化させる情報提示装置が記載されている。
【先行技術文献】
【特許文献】
【０００４】
【特許文献１】特開２０１１−０５９４３５号公報（２０１１年３月２４日公開）
【特許文献２】特開２００８−２２５３６４号公報（２００８年９月２５日公開）
【発明の概要】
【発明が解決しようとする課題】
【０００５】
しかしながら、上述のような従来技術は、上述したようなディスプレイや装置のユーザの安全を配慮したものであり、その他の人に対して配慮するものではない。特に、受信された緊急情報は、災害の内容を多くの人が閲覧しやすいように表示されることが好ましい。
【０００６】
本発明は、上記課題を解決するためになされたものであり、この発明の目的は、災害発生時において、緊急情報をユーザの周囲の他人に拡散させることが可能な携帯端末を提供することである。
【課題を解決するための手段】
【０００７】
上記の課題を解決するために、本発明の携帯端末は、緊急情報を取得する緊急情報取得手段と、視野角を狭視野角または広視野角のいずれかの状態に変更可能な表示装置の表示を制御する表示制御手段と、前記表示装置の視野角を制御する視野角制御手段とを備え、前記視野角制御手段は、前記緊急情報取得手段により緊急情報が取得されると、狭視野角から広視野角に変更し、前記表示制御手段は、前記緊急情報取得手段により取得された緊急情報を前記表示装置に表示する。
【０００８】
上記の構成によれば、緊急情報が取得されると、狭視野角から広視野角に変更され、取得された緊急情報が表示装置に表示される。このため、緊急時には、広視野角の状態で表示装置に緊急情報が表示されるので、ユーザの周囲の他人は、斜め方向から表示装置に表示された緊急情報を覗き見ることができる。これにより、ユーザの周囲の他人が緊急情報を知る可能性を高めることができる。したがって、緊急情報をユーザの周囲の他人に拡散させることが可能な携帯端末を提供することができる。
【０００９】
また、本発明の携帯端末において、前記緊急情報取得手段は、セルブロードキャストされた情報を受信すると、該情報を前記緊急情報として取得する。
【００１０】
上記の構成によれば、ユーザの携帯端末を含む複数の携帯端末に対して、緊急情報が同時配信されるので、より一層緊急情報を周囲に拡散させることができる。
【００１１】
また、本発明の携帯端末は、現在位置を示す位置情報を取得する位置情報取得手段をさらに備え、前記緊急情報取得手段は、各種情報を提供するサーバからネットワークを介して配信情報を取得し、該配信情報が緊急を示す文字情報を含む場合、前記配信情報を第１緊急情報候補として特定し、前記第１緊急情報候補として特定された配信情報で示される対象地域に、前記位置情報取得手段により取得された位置情報で示される現在位置が含まれる場合、前記第１緊急情報候補を前記緊急情報として取得する。
【００１２】
上記の構成によれば、各種情報を提供するサーバからネットワークを介して配信情報が取得され、該配信情報が緊急を示す文字情報を含む場合、配信情報が第１緊急情報候補として特定され、第１緊急情報候補として特定された配信情報で示される対象地域に、位置情報で示される現在位置が含まれる場合、第１緊急情報候補が緊急情報として取得される。このため、対象地域内に位置するユーザおよびそのユーザの周囲に対して緊急であることを知らせることができる。
【００１３】
また、本発明の携帯端末は、基地局の位置を示す基地局情報を取得する基地局情報取得手段をさらに備え、前記緊急情報取得手段は、基地局が発信する放送電波に緊急警報信号が含まれる場合、前記緊急警報信号とともに放送電波に含まれる放送情報を第２緊急情報候補として特定し、前記第２緊急情報候補として特定された放送情報で示される対象地域に、前記基地局情報取得手段により取得された基地局情報で示される基地局の位置が含まれる場合、前記第２緊急情報候補を前記緊急情報として取得する。
【００１４】
上記の構成によれば、基地局が発信する放送電波に緊急警報信号が含まれる場合、緊急警報信号とともに放送電波に含まれる放送情報が第２緊急情報候補として特定され、第２緊急情報候補として特定された放送情報で示される対象地域に、基地局情報で示される基地局の位置が含まれる場合、第２緊急情報候補が緊急情報として取得される。このため、現在位置を取得するＧＰＳセンサ等を設けなくても、対象地域に位置するユーザおよびそのユーザの周囲に対して緊急であることを知らせることができる。
【００１５】
また、本発明の携帯端末において、前記表示装置は、液晶ディスプレイであり、前記視野角制御手段は、前記表示装置の液晶層に印加する電圧を調整することにより、前記表示装置の視野角を制御する。
【００１６】
また、本発明の携帯端末において、前記表示制御手段は、前記視野角制御手段からの指示に応じて、広視野角または狭視野角のいずれかの状態を示す表示データを生成し、生成された表示データに基づいて前記表示装置に表示させる。
【００１７】
また、本発明の携帯端末において、前記視野角制御手段は、視野角を狭視野角から広視野角に変更した場合において、変更時から所定の時間経過後に、広視野角から狭視野角に変更する。
【００１８】
上記の構成によれば、ユーザの操作を必要とせずに、狭視野角に戻すことができる。
【００１９】
また、本発明の携帯端末において、前記視野角制御手段は、狭視野角から広視野角に変更した場合、緊急情報の表示を終了する指示により広視野角から狭視野角に変更する。
【００２０】
上記の構成によれば、所望のタイミングで、狭視野角に戻すことができる。
【発明の効果】
【００２１】
本発明は、災害発生時において、災害に関する情報を周囲のユーザに拡散させることができるという効果を奏する。
【図面の簡単な説明】
【００２２】
【図１】本発明の実施の形態における携帯端末のハードウエア構成の一例を示すブロック図である。
【図２】携帯端末が備える制御部の機能の一例をデータメモリが記憶するデータとともに示す機能ブロック図である。
【図３】視野角が変化していく様子の一例を示す図である。
【図４】視野角切換処理の流れの一例を示すフローチャートである。
【図５】第２の実施形態における携帯端末が備える制御部の機能の一例をデータメモリが記憶するデータとともに示す機能ブロック図である。
【図６】第２の実施形態における視野角切換処理の流れの一例を示すフローチャートである。
【図７】第３の実施形態における携帯端末が備える制御部の機能の一例をデータメモリとともに示す機能ブロック図である。
【図８】第３の実施形態における視野角切換処理の流れの一例を示すフローチャートである。
【発明を実施するための形態】
【００２３】
図面を参照しつつ、本発明の実施の形態について説明する。以下の説明では、同一の部品には同一の符号を付してある。それらの名称および機能も同じである。したがって、それらについての詳細な説明は繰り返さない。
【００２４】
＜第１の実施形態＞
（携帯端末の構成）
図１は、本発明の実施の形態における携帯端末のハードウエア構成の一例を示すブロック図である。図１に示されるように、携帯端末１は、携帯端末１の全体を制御するための制御部１０１と、制御部１０１で実行するプログラム等を記憶するためのプログラムメモリ１０と、データメモリ２０と、ユーザの操作を受け付ける操作部３０と、通信部４０と、チューナ５０と、表示部６１の表示を制御するための表示制御部（表示制御手段）６０と、ＡＶデコーダ７０と、ＧＰＳ受信部８０とを含む。
【００２５】
ＧＰＳ受信部８０は、ＧＰＳ（Ｇｌｏｂａｌ  Ｐｏｓｉｔｉｏｎｉｎｇ  Ｓｙｓｔｅｍ）衛星の送信するＧＰＳ信号を受信し、受信されたＧＰＳ信号を制御部１０１に出力する。
【００２６】
操作部３０は、例えば、操作キーと、タッチパネルとを含む。操作キーおよびタッチパネルは、ユーザによる操作の入力を受け付け、受け付けた操作を制御部１０１に出力する。
【００２７】
通信部４０は、アンテナ４１と接続され、無線基地局との間でデータ通信が可能である。具体的には、通信部４０は、無線基地局からユニキャスト、マルチキャストまたはブロードキャスト（セルブロードキャスト）されたデータを受信する。特に、通信部４０は、無線基地局に接続された電子メールサーバと無線基地局を介して通信することが可能である。通信部４０は、電子メールサーバから送信される電子メールを受信し、制御部１０１に出力する。また、通信部４０は、制御部１０１から入力される電子メールを電子メールサーバに送信する。このため、制御部１０１は、電子メールサーバとの間で送受信した電子メールをデータメモリ２０に記憶する。
【００２８】
チューナ５０は、アンテナ５１に接続されており、アンテナ５１により受信された放送信号が入力される。放送信号は、映像データおよび音声データを含む高周波デジタル変調信号である。チューナ５０は、アンテナから入力される高周波デジタル変調信号から特定の周波数の信号を取り出す。また、チューナ５０は、逆インターリーブ回路、誤り訂正回路を備えており、取り出した特定の周波数の高周波デジタル変調信号を復調して符号データをＡＶデコーダ７０に出力する。
【００２９】
ＡＶデコーダ７０は、ビデオデコーダおよびオーディオデコーダを備えており、チューナ５０から入力された符号化データを復号して映像信号および音声信号を生成し、映像信号を表示制御部６０に出力し、音声信号をＤ／Ａ（デジタル／アナログ）変換して、スピーカ７１に与える。
【００３０】
なお、ここでは、デジタルテレビジョン放送の放送電波を受信して再生する例を示したが、アナログテレビジョン放送の放送電波を受信して再生するようにしてもよい。また、テレビジョン放送に代えて、または、テレビジョン放送に加えて、ラジオ放送の放送電波を受信して再生するようにしてもよい。
【００３１】
表示制御部６０は、制御部１０１により制御され、制御部１０１から入力される指示に従って、表示部６１を制御して、表示部６１に画像を表示させる。表示部６１は、視野角制御機能付きの表示装置（液晶ディスプレイ装置）であり、表示部６１に表示させる画像は、動画像と静止画像とを含む。
【００３２】
視野角は、表示部６１が備える液晶パネルに印加された電圧の大きさに応じて、液晶パネル内に設けられた液晶層の液晶分子が傾動動作することにより、制御される。なお、視野角の制御については、公知の技術であるので、ここでは詳細な説明は繰り返さない。
【００３３】
（制御部の機能１）
図２は、携帯端末が備える制御部の機能の一例をデータメモリが記憶するデータとともに示す機能ブロック図である。図２に示されるように、制御部１０１は、セルブロードキャスティング情報受信部（緊急情報取得手段）１２１と、緊急時検出部（緊急情報取得手段）１３３と、視野角制御部（視野角制御手段）１２３とを含む。
【００３４】
セルブロードキャスティング情報受信部１２１は、通信部４０を介して、無線基地局からブロードキャストされたセルブロードキャスティング情報を受信し、受信したセルブロードキャスティング情報２１をデータメモリ２０に記憶する。ここで、セルブロードキャスティング情報２１は、緊急情報を含む。
【００３５】
緊急情報は、例えば発生した災害の種類、発生地、発生時刻、災害の発生により被害（避難）の対象となる対象地域等の情報を示し、通知音の鳴動を要求する鳴動コマンドおよびポップアップ表示を要求する表示コマンドを含む。
【００３６】
緊急時検出部１３３は、無線基地局によりセルブロードキャストされたセルブロードキャスティング情報に基づいて緊急時を検出する。緊急時は、無線基地局によりセルブロードキャストされたセルブロードキャスティング情報に表示コマンドが含まれることにより検出する。緊急時検出部１３３は、緊急時を検出すると、表示部６１の視野角を広視野角に変更する広視野角変更指示を視野角制御部１２３に出力するとともに、表示制御部６０に緊急情報の表示を指示する。表示制御部６０は、その指示を受けて、表示部６１に緊急情報を表示（ポップアップ表示）する。
【００３７】
視野角制御部１２３は、表示部６１の視野角を制御する。具体的には、視野角制御部１２３は、緊急時検出部１３３からの広視野角変更指示を受けると、現在の視野角の状態を示す視野角制御情報２３を生成し、データメモリ２０に記憶する。
【００３８】
データメモリ２０が記憶する視野角制御情報２３は、広視野角の状態または狭視野角の状態のいずれかを示す。
【００３９】
広視野角は、表示部６１が表示する情報を斜め方向から判別することが可能な程度の視野角であればよく、例えば１００度以上である（上限は、１８０度）。狭視野角は、表示部６１が表示する情報を略正面方向から判別することが可能な程度の視野角であればよく、例えば１００度未満である（下限は、０度）。
【００４０】
また、視野角制御部１２３は、緊急時検出部１３３からの広視野角変更指示を受けると、視野角を変更するか否かを判断する。視野角制御部１２３は、生成された視野角制御情報２３が狭視野角の状態を示す場合、視野角を狭視野角から広視野角に変更するが、生成された視野角制御情報２３が広視野角の状態を示す場合、広視野角の状態に維持（更新）する。
【００４１】
また、視野角制御部１２３は、表示部６１を広視野角に変更または維持（更新）した場合において、予め定められた条件を満たすと、データメモリ２０に記憶された視野角制御情報２３で示される視野角の状態に戻す。これにより、視野角制御情報２３が広視野角の状態を示す場合、視野角は変更されず、視野角制御情報２３が狭視野角の状態を示す場合、広視野角から狭視野角に変更される。また、視野角制御部１２３は、視野角の状態を元に戻すと、データメモリ２０に記憶された視野角制御情報２３を削除する。
【００４２】
予め定められた条件は、視野角制御部１２３による広視野角への変更時から所定の時間Ｔ１経過時を検出したとき、または、ユーザが操作部３０に入力する、緊急情報の表示を終了する指示を検出したときである。
【００４３】
このように、視野角制御部１２３は、視野角制御情報２３が狭視野角の状態を示す場合において、緊急時検出部１３３からの広視野角変更指示を受けて狭視野角から広視野角に変更し、変更時から所定の時間Ｔ１経過時を検出したときに狭視野角に自動的に変更する。このため、ユーザが操作操３０を操作しなくても視野角を広視野角から狭視野角に戻すことができる。また、緊急情報の表示の終了が指示されると、視野角を広視野角から狭視野角に戻し、緊急情報を表示する前の画面に戻すので、緊急情報以外の情報が広視野角で表示されるといった不具合を回避できる。
【００４４】
（視野角制御の具体例）
図３は、視野角が変化していく様子の一例を示す図である。図３（ａ），（ｃ）は、表示部の画面が狭視野角の状態を示す。図３（ｂ）は、表示部の画面が広視野角の状態を示す。
【００４５】
図３（ａ）に示されるように、緊急情報を検知する前は、表示部６１は狭視野角に設定されている。このとき、表示部６１に表示されている画面は、例えば携帯端末１のユーザ自身およびそのユーザに関連する情報を含んでいる。したがって、緊急情報を検知する前は、表示部６１を狭視野角の状態としていることで、周囲からの覗き見を防止することができる。
【００４６】
無線基地局は、例えば災害が発生すると、セルブロードキャスティング情報を不特定多数の携帯端末にセルブロードキャストする。携帯端末１は、セルブロードキャストにより受信されたセルブロードキャスティング情報を緊急情報として特定し、表示部６１の視野角を狭視野角から広視野角に変更するとともに、表示部６１に緊急情報を表示する（図３（ｂ）参照）。これにより、ユーザの周囲の人間は、携帯端末１の表示部６１を斜め方向から、表示部６１が表示する緊急情報を覗き見ることができる。したがって、ユーザの周囲の人間が緊急情報を知ることができる可能性を高めることができる。
【００４７】
また、表示部６１が緊急情報を表示している間は、画面に閉ボタン９１が表示される。閉ボタン９１は、緊急情報の表示の終了を指示するためのボタンである。ユーザが閉ボタン９１を押下すると、緊急情報を検知する前に表示していた画面に戻る。
【００４８】
ユーザにより閉ボタン９１が押下されない場合、狭視野角から広視野角に変更したときから所定の時間Ｔ１が経過したときに、緊急情報を検知する前に表示していた画面に戻る（図（ｃ）参照）。これにより、緊急情報の直前に表示していた画面に戻るための余分な操作をユーザに必要としない。
【００４９】
（視野角制御の流れ１）
図４は、視野角切換処理の流れの一例を示すフローチャートである。視野角切換処理は、制御部１０１がプログラムメモリ１０に記憶された視野角制御プログラム１３を実行することにより、制御部１０１により実行される処理である。図４に示されるように、セルブロードキャスティング情報受信部１２１は、無線基地局がセルブロードキャストしたセルブロードキャスティング情報を受信したか否かを判断する。セルブロードキャスティング情報を受信したならば、処理をステップＳ０２に進める。
【００５０】
ステップＳ０２においては、緊急時検出部１３３は、ステップＳ０１において受信されたセルブロードキャスティング情報に基づいて、緊急時を検出したか否かを判断する。具体的には、セルブロードキャスティング情報に表示コマンドが含まれているか否かを判断する。セルブロードキャスティング情報に表示コマンドが含まれているならば緊急時と判断し、処理をステップＳ０３に進めるが、そうでなければ緊急時と判断せず、処理をステップＳ０１に戻す。
【００５１】
ステップＳ０３においては、視野角制御部１２３は、ステップＳ０１においてセルブロードキャスティング情報が受信されたときの視野角の状態を現在の視野角の状態として視野角制御情報２３を生成し、データメモリ２０に記憶し、処理をステップＳ０４に進める。
【００５２】
なお、ステップＳ０１〜Ｓ０３のいずれかにおいては、制御部１０１は、視野角制御プログラム１３の実行と並行して、プログラムメモリ１０に記憶された緊急情報表示プログラム１１を実行することにより、表示制御部６０が表示部６１に緊急情報を表示させる。
【００５３】
ステップＳ０４においては、視野角制御部１２３は、現在の視野角が狭視野角の状態であるか否かを判断する。具体的には、ステップＳ０１においてセルブロードキャスティング情報が受信されたときの視野角の状態が狭視野角の状態か否かを判断する。セルブロードキャスティング情報の受信時の視野角の状態が狭視野角の状態であるならば処理をステップ０５に進めるが、そうでなければ処理をステップＳ０６に進める。
【００５４】
ステップＳ０５においては、視野角制御部１２３は、視野角を狭視野角から広視野角に変更し、処理をステップＳ０６に進める。
【００５５】
ステップＳ０６においては、視野角制御部１２３は、タイマＴを０にセットする。そして、視野角制御部１２３は、緊急情報の表示終了指示があったか否かを判断する（ステップＳ０７）。緊急情報の表示終了指示があったならば処理をステップＳ０９に進めるが、そうでなければ処理をステップＳ０８に進める。
【００５６】
ステップＳ０８においては、タイマＴが所定の時間Ｔ１を経過したか否か判断する。タイマＴが所定の時間Ｔ１を経過したならば処理をステップＳ０９に進めるが、そうでなければ処理をステップＳ０７に戻す。
【００５７】
なお、ステップＳ０７において緊急情報の表示終了指示があった場合、または、ステップＳ０８においてタイマＴが時間Ｔ１を経過した場合、制御部１０１は、緊急情報表示プログラムの実行を終了することにより、表示制御部６０は緊急情報を表示する前の画面を表示する。
【００５８】
ステップＳ０９においては、視野角制御部１２３は、視野角を元の状態に戻す。具体的には、ステップＳ０３においてデータメモリ２０に記憶された視野角制御情報２３が狭視野角の状態を示す場合、広視野角から狭視野角に変更するが、視野角制御情報２３が広視野角の状態を示す場合、その状態を維持する。
【００５９】
次のステップＳ１０においては、視野角制御部１２３は、ステップＳ０３においてデータメモリ２０に記憶された視野角制御情報２３を削除し、視野角切換処理を終了する。
【００６０】
＜第２の実施形態＞
第１の実施形態における携帯端末１は、無線基地局がセルブロードキャスティングした緊急情報を受信するものであった。第２の実施形態においては、携帯端末１Ａがインターネットを介して緊急情報を取得するものである。
【００６１】
（制御部の機能２）
図５は、第２の実施形態における携帯端末が備える制御部の機能の一例をデータメモリが記憶するデータとともに示す機能ブロック図である。第２の実施形態における携帯端末１Ａが備える制御部１０１Ａが第１の実施形態における携帯端末１が備える制御部１０１と異なる点は、緊急時検出部１３３が緊急時検出部１３３Ａに変更された点、位置情報取得部１３５が追加された点およびセルブロードキャスティング情報受信部１２１に代えて配信情報取得部１３１が追加された点である。その他の構成は、制御部１０１と同じであるので、詳細な説明は繰り返さない。
【００６２】
配信情報取得部（緊急情報取得手段）１３１は、配信サイトが提供する配信情報を取得し、取得した配信情報２５をデータメモリ２０に記憶するとともに、緊急時検出部１３３Ａに出力する。配信情報の取得方法は、登録した配信サイトから電子メールで受信するようにしてもよいし、登録した配信サイトが提供するＷｅｂページへのアクセスによって取得するようにしてもよい。Ｗｅｂページから取得する場合、配信サイトからＲＳＳによりＷｅｂページの更新の通知を受けるようにする。これにより、ユーザはＷｅｂページが更新されたことに気づくことができる。なお、配信サイトとしては、気象警報を配信するサイトであればよい。
【００６３】
位置情報取得部（位置情報取得手段）１３５は、ＧＰＳ受信部８０を制御し、ＧＰＳ受信部８０により受信されたＧＰＳ信号に基づいて現在位置を決定し、決定された現在位置を示す位置情報２７をデータメモリ２０に記憶する。位置情報取得部１３５は、受信したＧＰＳ信号から直接位置を算出するようにしてもよいし、携帯端末１Ａの通信事業者が備えるサーバに、受信したＧＰＳ信号を送信し、そのサーバから位置情報を受信するようにしてもよい。
【００６４】
緊急時検出部（緊急情報取得手段）１３３Ａは、配信情報取得部１３１により取得された配信情報と位置情報取得部１３５により取得された位置情報とに基づいて、災害等の緊急時を検出する。緊急時検出部１３３Ａは、配信情報取得部１３１から入力される配信情報に緊急を示す文字情報が含まれる場合、配信情報を緊急情報として特定する。
【００６５】
緊急を示す文字情報は、例えば「災害」、「地震」、「津波」、「緊急」や「避難」などの文字列である。緊急時検出部１３３は、緊急情報として特定された配信情報に含まれる対象地域に、データメモリ２０に記憶された位置情報２７で示される位置が含まれるか否かを判断する。配信情報に含まれる対象地域に、位置情報２７で示される位置が含まれるならば緊急時として検出するが、そうでなければ緊急時として検出しない。緊急時検出部１３３Ａは、緊急時を検出すると、広視野角変更指示を視野角制御部１２３に出力するとともに、表示制御部６０の緊急情報の表示を指示する。表示制御部６０は、その指示を受けて、緊急情報として特定された配信情報を表示部６１に表示する。これにより、ユーザが対象地域内に位置する場合には、広視野角で緊急情報を表示するので、対象地域内に位置するユーザの周囲の人が緊急情報を閲覧する可能性を高めることができる。したがって、対象地域内の人間に対して、早く避難することを促すことができる。
【００６６】
（視野角制御の流れ２）
図６は、第２の実施形態における視野角切換処理の流れの一例を示すフローチャートである。図６に示す視野角切換処理が、第１の実施形態における視野角切換処理と異なる点は、ステップＳ０１，Ｓ０２がステップＳ０１Ａ，Ｓ０２Ａに変更された点、ステップＳ１１が追加された点である。その他の処理は、図４に示す視野角切換処理と同じであるので、説明は繰り返さない。
【００６７】
ステップＳ０１Ａにおいては、配信情報取得部１３１は、インターネットにより配信情報を取得したか否かを判断する。配信情報は、配信サイトから送信される電子メールを受信することにより取得してもよいし、配信サイトが提供するＷｅｂページで取得するようにしてもよい。配信情報を取得したならば処理をステップＳ１１に進める。
【００６８】
ステップＳ１１においては、緊急時検出部１３３Ａは、ステップＳ０１Ａにおいて取得された配信情報が緊急情報を示すか否かを判断する。具体的には、配信情報に、緊急を示す文字情報が含まれるか否かを判断する。配信情報に、緊急を示す文字情報が含まれるならば緊急情報と特定し、処理をステップＳ０２Ａに進めるが、そうでなければ処理をステップＳ０１Ａに戻す。
【００６９】
ステップＳ０２Ａにおいては、緊急時検出部１３３Ａは、緊急時を検出したか否か判断する。具体的には、ステップＳ１１において緊急情報として特定された配信情報に含まれる対象地域が、ＧＰＳ受信部８０が出力する位置情報で示される位置を含むか否かを判断する。対象地域が、ＧＰＳ受信部８０が出力する位置情報で示される位置を含むならば緊急時を検出し、処理をステップＳ０３に進めるが、そうでなければ処理をステップＳ０１Ａに戻す。
【００７０】
＜第３の実施形態＞
第３の実施形態における携帯端末１Ｂは、チューナ５０により受信された放送電波に基づいて、緊急情報を取得するものである。
【００７１】
（制御部の機能３）
図７は、第３の実施形態における携帯端末が備える制御部の機能の一例をデータメモリとともに示す機能ブロック図である。図７に示す制御部１０１Ｂが、図２に示す制御部１０１と異なる点は、緊急時検出部１３３が緊急時検出部１３３Ｂに変更された点、基地局情報取得部１４３が追加された点およびセルブロードキャスティング情報受信部１２１に代えて放送情報受信部１４１が追加された点である。制御部１０１Ｂのその他の構成は、図２に示す構成と同じであるので、説明を繰り返さない。
【００７２】
放送情報受信部（緊急情報取得手段）１４１は、放送電波を受信するチューナ５０を制御して、チューナ５０が受信した放送電波に含まれる放送情報を受信する。無線基地局は、災害の発生時において、放送電波に緊急警報信号（ＥＷＳ）とともに緊急情報を含めて発信している。このため、放送情報受信部１４１は、災害の発生時には、放送電波に含まれる緊急警報信号を検出すると、受信した放送情報を緊急情報として特定し、緊急時検出部１３３Ａに出力する。
【００７３】
なお、放送電波は、テレビジョン放送（アナログ方式およびデジタル方式）であってもよいし、ラジオ放送であってもよい。また、放送情報受信部１４１は、テレビジョン放送およびラジオ放送の放送電波に含まれる緊急警報信号を検出するようにしたが、緊急を示す音声を音声認識したときに、受信した放送情報を緊急情報として特定してもよい。緊急を示す音声としては、例えば「災害」、「地震」、「津波」、「緊急」や「避難」などの音声であればよい。
【００７４】
基地局情報取得部（基地局情報取得手段）１４３は、通信部４０を介して、無線基地局の位置を示す基地局情報として取得し、取得した基地局情報２９をデータメモリ２０に記憶する。これにより、現在位置に最も近い無線基地局の位置を取得することができるので、ＧＰＳ受信部８０を設けることなく、現在位置を特定することができる。
【００７５】
緊急時検出部（緊急情報取得手段）１３３Ｂは、基地局情報取得部１４３により取得された基地局情報と放送情報受信部１４１により受信された緊急情報とに基づいて、災害等の緊急時を検出する。緊急時検出部１３３Ｂは、放送情報受信部１４１から入力される緊急情報に含まれる対象地域に、データメモリ２０に記憶された基地局情報で示される位置が含まれる場合、緊急時として検出する。緊急時検出部１３３Ｂは、緊急時を検出すると、広視野角変更指示を視野角制御部１２３に出力するとともに、表示制御部６０に緊急情報の表示を指示する。表示制御部６０は、その指示を受けて、緊急情報として特定された放送情報を表示部６１に表示する。
【００７６】
（視野角制御の流れ３）
図８は、第３の実施形態における視野角切換処理の流れの一例を示すフローチャートである。図８に示す視野角切換処理が、第１の実施形態における視野角切換処理と異なる点は、ステップＳ０１，Ｓ０２がステップＳ０１Ｂ，Ｓ０２Ｂに変更された点、ステップＳ１１Ａが追加された点である。その他の処理は、図４に示す視野角切換処理と同じであるので、説明を繰り返さない。
【００７７】
ステップＳ０１Ｂにおいては、放送情報受信部１４１は、放送電波を受信するチューナ５０を介して、放送電波に含まれる放送情報を受信し、処理をステップＳ０２Ｂに進める。
【００７８】
ステップＳ１１Ａにおいては、放送情報受信部１４１は、ステップＳ０１Ｂにおいて受信された放送情報が緊急情報であるか否かを判断する。具体的には、チューナ５０が受信した放送電波に緊急警報信号が含まれるか否か判断する。チューナ５０が受信した放送電波に緊急警報信号が含まれるならば、ステップＳ０１Ｂにおいて受信された放送情報を緊急情報として特定し、処理をステップＳ０２Ｂに進める。
【００７９】
ステップＳ０２Ｂにおいては、緊急時検出部１３３Ｂは、緊急時か否かを判断する。具体的には、ステップＳ１１Ａにおいて緊急情報として特定された放送情報に含まれる対象地域が、基地局情報取得部１４３により取得される基地局情報で示される位置を含むか否かを判断する。放送情報に含まれる対象地域が、基地局情報取得部１４３により取得される基地局情報で示される位置を含むならば処理をステップＳ０３に進めるが、そうでなければ処理をステップＳ１１Ａに戻す。
【００８０】
なお、第１〜第３の実施形態における携帯端末１，１Ａ，１Ｂは、視野角制御機能付きの表示部６１を備える構成であったが、この構成に限定するものではない。表示部６１に代えて、視野角制御機能が付いていない表示部を備えるようにしてもよい。この場合、制御部１０１，１０１Ａ，１０１Ｂは、データメモリ２０に記憶された視野角制御プログラム１３を実行することにより、表示データの濃淡を変えるなど表示データを加工することにより視野角を制御する。
【００８１】
以上のように、本発明の携帯端末１は、緊急情報を取得する緊急情報取得手段（緊急時検出部１３３，１３３Ａ，１３３Ｂ、配信情報取得部１３１、放送情報受信部１４１）と、視野角を狭視野角または広視野角のいずれかの状態に変更可能な表示部６１の表示を制御する表示制御部６０と、表示部６１の視野角を制御する視野角制御部１２３とを備え、視野角制御部１２３は、緊急情報取得手段により緊急情報が取得されると、狭視野角から広視野角に変更し、表示制御部６０は、緊急情報取得手段により取得された緊急情報を表示部６０に表示する。
【００８２】
このため、緊急情報が取得されると、狭視野角から広視野角に変更され、取得された緊急情報が表示部６１に表示される。これにより、緊急時には、広視野角の状態で表示部６１に緊急情報が表示されるので、ユーザの周囲の他人は、斜め方向から表示部６１に表示された緊急情報を覗き見ることができる。これにより、ユーザの周囲の他人が緊急情報を知る可能性を高めることができる。したがって、緊急情報をユーザの周囲の他人に拡散させることができる。
【００８３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００８４】
最後に、携帯端末１（１Ａ，１Ｂ）の各ブロック、特に制御部１０１（１０１Ａ，１０１Ｂ）は、ハードウェアロジックによって構成してもよいし、次のようにＣＰＵを用いてソフトウェアによって実現してもよい。
【００８５】
すなわち、携帯端末１（１Ａ，１Ｂ）は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯端末１（１Ａ，１Ｂ）の制御プログラムのプログラムコード（実行形式プログラム、中間コードプログラム、ソースプログラム）をコンピュータで読み取り可能に記録した記録媒体を、上記携帯端末１に供給し、そのコンピュータ（またはＣＰＵやＭＰＵ）が記録媒体に記録されているプログラムコードを読み出し実行することによっても、達成可能である。
【００８６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００８７】
また、携帯端末１（１Ａ，１Ｂ）を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【符号の説明】
【００８８】
１，１Ａ，１Ｂ  携帯端末
６０  表示制御部（表示制御手段）
６１  表示部
１０１，１０１Ａ，１０１Ｂ  制御部
１２１  セルブロードキャスティング情報受信部（緊急情報取得手段）
１２３  視野角制御部（視野角制御手段）
１３１  配信情報取得部（緊急情報取得手段）
１３３，１３３Ａ，１３３Ｂ  緊急時検出部（緊急情報取得手段）
１３５  位置情報取得部（位置情報取得手段）
１４１  放送情報受信部（緊急情報取得手段）
１４３  基地局情報取得部（基地局情報取得手段）
【図１】
2013128180.tif 000003
【図２】
2013128180.tif 000004
【図３】
2013128180.tif 000005
【図４】
2013128180.tif 000006
【図５】
2013128180.tif 000007
【図６】
2013128180.tif 000008
【図７】
2013128180.tif 000009
【図８】
2013128180.tif 000010